(57)【要約】【課題】冷却塔へ流れる冷却水流量を可及的に少なくするとともに、排熱源へ流入する冷却水温度を所望値に維持して安定的な運転が可能となる排熱回収システムを提供する。【解決手段】復水器３を冷却した後の冷却水を冷却塔７まで導く冷却水還り配管１５から分岐された熱源水往き配管と、熱源水往き配管によって導かれた熱源水から熱回収することによって温熱を出力するヒートポンプ５と、ヒートポンプ５によって熱回収された後の熱源水を、冷却水往き配管１３へと合流させる熱源水還り配管３３と、冷却塔７に設けられたファン１７の発停または回転数を制御する制御部２５とを備え、制御部２５は、熱源水還り配管３３から熱源水が合流し、復水器３へと流入する冷却水入口温度が所望値となるようにファン１７を制御する。【選択図】図１
2012159236.tif 000002
【特許請求の範囲】
【請求項１】
排熱源を冷却した後の冷却水を冷却塔まで導く冷却水還り配管から分岐された熱源水往き配管と、
該熱源水往き配管によって導かれた熱源水から熱回収することによって温熱を出力するヒートポンプと、
該ヒートポンプによって熱回収された後の熱源水を、冷却塔によって冷却された冷却水を前記排熱源へと供給する冷却水往き配管へと合流させる熱源水還り配管と、
前記冷却塔に設けられたファンの発停または回転数を制御する制御部と、
を備え、
前記制御部は、前記熱源水還り配管から熱源水が合流し、前記排熱源へと流入する冷却水入口温度が所望値となるように、前記ファンの発停または回転数を制御することを特徴とする排熱回収システム。
【請求項２】
前記冷却水往き配管をバイパスするように前記熱源水還り配管から前記熱源水往き配管へと熱源水を流す熱源水バイパス配管を設け、
前記制御部は、前記ヒートポンプへ導かれる熱源水温度が所望値となるように、前記熱源水バイパス配管を流れる熱源水流量を調整することを特徴とする請求項１に記載の排熱回収システム。
【請求項３】
前記熱源水還り配管から分岐されて前記冷却水還り配管へと接続された分岐熱源水還り配管が設けられ、
前記制御部は、前記冷却水往き配管に合流する熱源水温度が、前記排熱源へと流入する冷却水入口温度の所望値よりも高くなった場合に、前記分岐熱源水還り配管を介して熱源水を前記冷却水還り配管へと流すことを特徴とする請求項１又は２に記載の排熱回収システム。
【請求項４】
前記制御部は、前記排熱源に対して流出入する冷却水の温度差と冷却水流量とから排熱源における排熱量を演算し、前記ヒートポンプによって熱源水から熱回収される熱回収量が該排熱量を超える場合には、該ヒートポンプの温熱出力を所定値以下に制限することを特徴とする請求項１から３のいずれかに記載の排熱回収システム。
【請求項５】
排熱源を冷却した後の冷却水を冷却塔まで導く冷却水還り配管から分岐された熱源水往き配管と、
該熱源水往き配管によって導かれた熱源水から熱回収することによって温熱を出力するヒートポンプと、
該ヒートポンプによって熱回収された後の熱源水を、冷却塔によって冷却された冷却水を前記排熱源へと供給する冷却水往き配管へと合流させる熱源水還り配管と、
前記冷却塔に設けられたファンの発停または回転数を制御する制御部と、
を備えた排熱回収システムによる排熱回収方法において、
前記制御部は、前記熱源水還り配管から熱源水が合流し、前記排熱源へと流入する冷却水入口温度が所望値となるように、前記ファンの発停または回転数を制御することを特徴とする排熱回収方法。
【発明の詳細な説明】
【技術分野】
【０００１】
本発明は、蒸気タービン設備の復水器や冷凍機の凝縮器といった排熱源を冷却する冷却水から熱回収する排熱回収システムおよび排熱回収方法に関するものである。
【背景技術】
【０００２】
蒸気タービン設備の復水器や冷凍機の凝縮器といった排熱源は、冷却水によって冷却されるようになっている。このような排熱源を冷却した後の冷却水温度は、一般に４０℃以下の低温水とされており、熱的な利用価値が低いため、冷却水が保有する熱は冷却塔によって大気へと放出されている。
【０００３】
特許文献１では、蒸気タービンの中途位置から抽気した蒸気を用いて再生器に熱を供給し、ボイラ給水を吸収器および凝縮器で加熱する吸収ヒートポンプが開示されている。この吸収ヒートポンプでは、蒸発器によって復水器へ流入する前の蒸気を冷却して液化して復水器へと返送する系統が設けられている。しかし、復水器内の復水の減温は可能となるものの、復水器内を冷却する冷却水系統については何ら変更が加えられていない。すなわち、冷却水系統に接続される冷却塔へ流れる冷却水流量については低減されていない。
冷却塔は、ファンによって導入した外気と冷却水との熱交換によって冷却水を冷却するものなので、ファンの消費動力の低減のためには、冷却塔に流す冷却水流量は少ない方が好ましい。また、冷却水を大気中に散水して冷却する散水方式の場合には、大気中に飛散して消費される水消費量を低減するためにも冷却塔へ流す冷却水流量は少ない方が好ましい。また、大気中に飛散する冷却水と一緒に冷却水中に含まれる薬液も消費されるので、薬液消費量の低減の観点からも冷却塔へ流す冷却水流量は少ない方が好ましい。
【０００４】
特許文献２の図８には、本願の図８に示した構成が開示されている。すなわち、復水器１０１と冷却塔１０３との間に、冷却水往き配管１０５と冷却水還り配管１０７とが接続されており、復水器１０１を冷却して昇温した冷却水を冷却塔１０３にて冷却し、冷却後の冷却水を復水器１０１へと供給する構成となっている。そして、冷却水還り配管１０７から分岐した熱源水往き配管１０９によって熱源水をヒートポンプ１１１へと導き、この熱源水から熱回収するようになっている。
冷却塔１０３は、散水ノズル１１５を備えており、この散水ノズル１１５から冷却水を大気中に散水し、ファン１１３から送り込まれる外気によって冷却水を冷却するようになっている。
なお、同図において、符号１１７は冷却水ポンプ、符号１１９は熱源水ポンプ、符号１２１は温熱負荷である。
【先行技術文献】
【特許文献】
【０００５】
【特許文献１】特開平３−９０６号公報
【特許文献２】特開２００７−６４５４６号公報
【発明の概要】
【発明が解決しようとする課題】
【０００６】
しかし、図８に示した構成では、ヒートポンプ１１１にて熱回収された後の熱源水は、熱源水還り配管１１０を介して再び冷却水還り配管１０７へと返送されるようになっているため、冷却塔１０３へと流れる冷却水流量については、ヒートポンプ１１１を設けない場合に比べて何ら変わりがない。これでは、冷却水が飛散して失われる水消費量を低減することができず、さらには、冷却水中に含まれる薬液の消費量も低減することができない。さらには、冷却塔へ流れ込む冷却水流量が低減されないので、ファン１１５の動力についても低減することができない。
【０００７】
一方、特許文献１の図１には、本願の図９に示すような構成が開示されている。すなわち、冷却水還り配管１０７から分岐した熱源水往き配管１０９によって導いた熱源水からヒートポンプ１１１によって熱回収し、熱源水還り配管１１０を介して冷却水往き配管１０５へと熱源水を導くようになっている。このように、ヒートポンプ１１１へと導いた熱源水は、冷却塔１０３をバイパスするようになっているので、冷却水消費量および薬液消費量を低減することができる点で好ましい。
【０００８】
また、図９に示した構成では、熱源水往き配管１０９に対して、熱源水還り配管１１０から分岐された分岐熱源水還り配管１２３と、冷却水往き配管１０５から分岐された分岐冷却水往き配管１２５とを接続する構成となっている。これにより、復水器１０１からの出口冷却水と、冷却塔１０３からの出口冷却水と、ヒートポンプ１１１からの出口熱源水とを混合することにより、ヒートポンプ１１１へ導かれる熱源水の入口温度を所望値に制御するようになっている。
しかし、ヒートポンプ１１１からの出口熱源水の温度は、温熱負荷１２１の変動によって変化するため、ヒートポンプ１１１からの出口熱源水の温度が大きく変化した場合には、復水器１０１からの出口冷却水と冷却塔１０３からの出口冷却水と混合させたとしても、ヒートポンプ１１１へ導かれる熱源水の入口温度を所望値に制御できないおそれがある。また、ヒートポンプ１１１からの出口熱源水の温度が大きく変化すると、熱源水還り配管１１０を介して冷却水往き配管１０５へと熱源水が合流した後の冷却水温度も変動することになり、復水器１０１の温度（圧力）を安定的に制御することができないという問題がある。
【０００９】
本発明は、このような事情に鑑みてなされたものであって、冷却塔へ流れる冷却水流量を可及的に少なくするとともに、排熱源（復水器、凝縮器等）へ流入する冷却水温度を所望値に維持して安定的な運転が可能となる排熱回収システムおよび排熱回収方法を提供することを目的とする。
【課題を解決するための手段】
【００１０】
上記課題を解決するために、本発明の排熱回収システムおよび排熱回収方法は以下の手段を採用する。
すなわち、本発明にかかる排熱回収システムは、排熱源を冷却した後の冷却水を冷却塔まで導く冷却水還り配管から分岐された熱源水往き配管と、該熱源水往き配管によって導かれた熱源水から熱回収することによって温熱を出力するヒートポンプと、該ヒートポンプによって熱回収された後の熱源水を、冷却塔によって冷却された冷却水を前記排熱源へと供給する冷却水往き配管へと合流させる熱源水還り配管と、前記冷却塔に設けられたファンの発停または回転数を制御する制御部とを備え、前記制御部は、前記熱源水還り配管から熱源水が合流し、前記排熱源へと流入する冷却水入口温度が所望値となるように、前記ファンの発停または回転数を制御することを特徴とする。
【００１１】
排熱源（例えば、蒸気タービン設備の復水器や冷凍機の凝縮器）を冷却した後の冷却水を熱源水往き配管によって冷却塔の手前で分岐させて熱源水として用い、この熱源水から熱回収することによってヒートポンプを駆動する。そして、熱回収した後の熱源水は、冷却塔から排熱源へ冷却水を供給する冷却水往き配管へと合流させることとした。このように、排熱源から冷却塔へと向かう冷却水をバイパスさせてヒートポンプへ導くことにより、冷却塔へ流れる冷却水量を減少させることができる。したがって、冷却塔のファン動力を低減することができる。また、冷却塔が冷却水を大気中に散水して冷却する散水方式の場合には、冷却水が飛散して消費される水消費量を低減することができ、これに伴い、冷却水中に含まれる薬液の消費量も低減することができる。
さらに、制御部によって、熱源水還り配管から熱源水が合流し、排熱源へと流入する冷却水入口温度が所望値となるように、冷却塔のファンの発停または回転数を制御することとした。これにより、ヒートポンプの温熱負荷が変動することによって熱源水還り配管から合流する熱源水の温度が変動しても、冷却水入口温度を所望値となるように安定的に制御することができる。
【００１２】
さらに、本発明の排熱回収システムでは、前記冷却水往き配管をバイパスするように前記熱源水還り配管から前記熱源水往き配管へと熱源水を流す熱源水バイパス配管を設け、前記制御部は、前記ヒートポンプへ導かれる熱源水温度が所望値となるように、前記熱源水バイパス配管を流れる熱源水流量を調整することを特徴とする。
【００１３】
熱源水バイパス配管を流れる熱源水流量を調整することによって、ヒートポンプへ導かれる熱源水温度を所望値となるようにした。これにより、ヒートポンプへ導かれる熱源水温度を一定とすることが可能となりヒートポンプを安定的に制御することができる。
【００１４】
さらに、本発明の排熱回収システムでは、前記熱源水還り配管から分岐されて前記冷却水還り配管へと接続された分岐熱源水還り配管が設けられ、前記制御部は、前記冷却水往き配管に合流する熱源水温度が、前記排熱源へと流入する冷却水入口温度の所望値よりも高くなった場合に、前記分岐熱源水還り配管を介して熱源水を前記冷却水還り配管へと流すことを特徴とする。
【００１５】
冷却水往き配管に合流する熱源水温度が、排熱源へと流入する冷却水温度の所望値よりも高くなった場合には、冷却水温度を所望値に制御することができなくなるので、分岐熱源水還り配管を介して熱源水を冷却水還り配管へと戻すこととした。これにより、排熱源へと流入する冷却水温度を所望値に制御することができる。
【００１６】
さらに、本発明の排熱回収システムでは、前記制御部は、前記排熱源に対して流出入する冷却水の温度差と冷却水流量とから排熱源における排熱量を演算し、前記ヒートポンプによって熱源水から熱回収される熱回収量が該排熱量を超える場合には、該ヒートポンプの温熱出力を所定値以下に制限することを特徴とする。
【００１７】
排熱源における排熱量を超えてヒートポンプにて熱回収してしまうと、排熱源に流入する冷却水温度を所望値に制御することが困難となる。そこで、本発明では、ヒートポンプの熱回収量が排熱源の排熱量を超える場合には、ヒートポンプの温熱出力を所定値以下に制御することとした。これにより、ヒートポンプの熱回収量を所定値以下に低減することができるので、ヒートポンプの熱回収量が排熱源の排熱量を超えてしまう事象を回避することができる。
【００１８】
また、本発明の排熱回収方法は、排熱源を冷却した後の冷却水を冷却塔まで導く冷却水還り配管から分岐された熱源水往き配管と、該熱源水往き配管によって導かれた熱源水から熱回収することによって温熱を出力するヒートポンプと、該ヒートポンプによって熱回収された後の熱源水を、冷却塔によって冷却された冷却水を前記排熱源へと供給する冷却水往き配管へと合流させる熱源水還り配管と、前記冷却塔に設けられたファンの発停または回転数を制御する制御部とを備えた排熱回収システムによる排熱回収方法において、前記制御部は、前記熱源水還り配管から熱源水が合流し、前記排熱源へと流入する冷却水入口温度が所望値となるように、前記ファンの発停または回転数を制御することを特徴とする。
【００１９】
排熱源（例えば、蒸気タービン設備の復水器や冷凍機の凝縮器）を冷却した後の冷却水を熱源水往き配管によって冷却塔の手前で分岐させて熱源水として用い、この熱源水から熱回収することによってヒートポンプを駆動する。そして、熱回収した後の熱源水は、冷却塔から排熱源へ冷却水を供給する冷却水往き配管へと合流させることとした。このように、排熱源から冷却塔へと向かう冷却水をバイパスさせてヒートポンプへ導くことにより、冷却塔へ流れる冷却水量を減少させることができる。したがって、冷却塔のファン動力を低減することができる。また、冷却塔が冷却水を大気中に散水して冷却する散水方式の場合には、冷却水が飛散して消費される水消費量を低減することができ、これに伴い、冷却水中に含まれる薬液の消費量も低減することができる。
さらに、制御部によって、熱源水還り配管から熱源水が合流し、排熱源へと流入する冷却水入口温度が所望値となるように、冷却塔のファンの発停または回転数を制御することとした。これにより、ヒートポンプの温熱負荷が変動することによって熱源水還り配管から合流する熱源水の温度が変動しても、冷却水入口温度を所望値となるように安定的に制御することができる。
【発明の効果】
【００２０】
本発明によれば、排熱源から冷却塔へと向かう冷却水をバイパスさせてヒートポンプへ導くことにより、冷却塔へ流れる冷却水量を減少させることとしたので、冷却塔のファン動力を低減することができる。また、冷却塔が冷却水を大気中に散水して冷却する散水方式の場合には、冷却水が飛散して消費される水消費量を低減することができ、これに伴い、冷却水中に含まれる薬液の消費量も低減することができる。
さらに、熱源水還り配管から熱源水が合流し、排熱源へと流入する冷却水入口温度が所望値となるように、冷却塔のファンの発停または回転数を制御することとしたので、ヒートポンプの温熱負荷が変動することによって熱源水還り配管から合流する熱源水の温度が変動しても、冷却水入口温度を所望値となるように安定的に制御することができる。
【図面の簡単な説明】
【００２１】
【図１】本発明の第１実施形態にかかる排熱回収システムを示す概略構成図である。
【図２】図１の制御部の構成を示したブロック図である。
【図３】第１実施形態のシミュレーション結果を示した概略構成図である。
【図４】冷却塔出口温度とファン風量との関係を示したグラフである。
【図５】本発明の第２実施形態にかかる排熱回収システムを示す概略構成図である。
【図６】本発明の第３実施形態にかかる排熱回収システムを示す概略構成図である。
【図７】本発明の第４実施形態にかかる排熱回収システムを示す概略構成図である。
【図８】従来技術を示した概略構成図である。
【図９】他の従来技術を示した概略構成図である。
【発明を実施するための形態】
【００２２】
以下に、本発明にかかる実施形態について、図面を参照して説明する。
［第１実施形態］
以下、本発明の第１実施形態について、図１を用いて説明する。
本実施形態にかかる排熱回収システム１は、排熱源である復水器３と、復水器３を冷却する冷却塔７とを備えた設備に適用される。
【００２３】
復水器３は、蒸気タービン設備の一構成機器とされており、蒸気タービン（図示せず）にて仕事を終えた蒸気を排気する排気蒸気管９に接続されている。復水器３にて冷却されて凝縮した復水は、給水配管１１を介して図示しないボイラへと導かれる。
復水器３と冷却塔７との間には、冷却水往き配管１３と冷却水還り配管１５とが接続されている。冷却水往き配管１３には、冷却水ポンプ１７が設けられており、この冷却水ポンプ１７によって冷却水が冷却塔７と復水器３との間を循環するようになっている。
復水器３の冷却水入口には、冷却水温度を計測するための復水器入口温度センサ１８が設けられている。この復水器入口温度センサ１８の出力は、後述する制御部２５へと送られる。
【００２４】
冷却塔７は、ファン１７と、散水ヘッダ１９と、冷却水貯留タンク２１とを備えている。
ファン１７は、冷却塔７内に外気を導入するために用いられ、電動モータ２３によって駆動される。この電動モータ２３としては、一定の周波数にて駆動する定速モータや、インバータ装置によって回転周波数可変とした可変速モータが用いられる。定速モータの場合には、制御部２５によって電動モータ２３の発停を制御し、可変速モータの場合には、制御部２５によって電動モータ２３の回転周波数を制御する。
散水ヘッダ１９は、上方から冷却水を外気中に散布し、外気と接触させることによって外気の顕熱だけでなく冷却水自身の蒸発潜熱をも用いて冷却水を冷却する。
冷却水貯留タンク２１には、散布されて外気によって冷却された冷却後の冷却水が貯留される。冷却水貯留タンク２１内に貯留された冷却水は、冷却水往き配管１３を介して復水器３へと導かれる。
冷却塔５の冷却水出口には、冷却塔５にて冷却された後の冷却水温度を測定する冷却塔出口温度センサ２７が設けられている。この冷却塔出口温度センサ２７の出力は、制御部２５へと送られる。
【００２５】
本実施形態にかかる排熱回収システムは、冷却水往き配管１３と冷却水還り配管１５に接続されたヒートポンプ５と、このヒートポンプ５の運転状態に応じて復水器３へ流入する冷却水の温度（復水器入口温度）が所望値となるように冷却塔７のファン１７の回転を制御する制御部２５とを備えている。
【００２６】
ヒートポンプ５は、熱回収型のターボ冷凍機とされている。ターボ冷凍機は、図示しないが、冷媒を圧縮するターボ圧縮機と、ターボ圧縮機によって圧縮された冷媒を凝縮させる凝縮器と、凝縮された液冷媒を膨張させる膨張弁と、膨張された冷媒を蒸発させる蒸発器とを備えている。ターボ圧縮機としては、インバータ装置から電力供給されて回転周波数可変とされた電動モータによって駆動される電動ターボ圧縮機が好ましい。
なお、ヒートポンプ５としては、典型的には、本実施形態のようにターボ圧縮機を用いたターボ冷凍機が挙げられるが、スクリュー式やスクロール式の圧縮機を用いた他の冷媒圧縮式のヒートポンプでもよい。
【００２７】
ヒートポンプ５と冷却水還り配管１５との間には、冷却水還り配管１５から冷却水を分岐させてヒートポンプ５へと導く熱源水往き配管３１が設けられている。熱源水往き配管３１には、熱源水ポンプ３２が設けられている。また、ヒートポンプ５と冷却水往き配管１３との間には、ヒートポンプ５から流出した熱源水を冷却水往き配管１３に合流させる熱源水還り配管３３が設けられている。このように、冷却水還り配管１５から導いた冷却水を熱源水としてヒートポンプ５にて導き、ヒートポンプ５の蒸発器によって熱回収し、熱回収後の減温された熱源水を冷却水往き配管１３へと返送するようになっている。そして、ヒートポンプ５へと導かれた冷却水（熱源水）は、冷却塔７をバイパスするようになっている。
熱源水戻り配管３３には、冷却水往き配管１３へ合流する前の熱源水温度を測定するためのヒートポンプ出口温度センサ３４が設けられている。このヒートポンプ出口温度センサ３４の出力は、制御部２５へと送られる。
【００２８】
ヒートポンプ５の温熱出力側には、温熱負荷３５が接続されている。すなわち、ヒートポンプ５の凝縮器と温熱負荷３５との間には、温水往き配管３７及び温水還り配管３９が接続されており、温水が循環されるようになっている。このように、ヒートポンプ５にて加熱された温水が温熱負荷３５に供給され、温熱負荷３５にて温熱が利用されて減温された温水がヒートポンプ５に戻り再び加熱されるようになっている。
【００２９】
制御部２５は、ヒートポンプ５の運転状態に応じて復水器３へ流入する冷却水の温度（復水器入口温度）が所望値となるように冷却塔７のファン１７の回転を制御する。制御部２５には、復水器入口温度センサ１８によって計測された復水器入口温度Tc_iと、冷却塔出口温度センサ２７によって計測された冷却塔出口温度Tct_oと、ヒートポンプ出口温度センサ３４によって計測されたヒートポンプ出口温度THP_oとが入力されるようになっている。
また、制御部２５には、図２に示すように、復水器３に流入する冷却水温度の目標値（所望値）である復水器入口目標温度Tc_setが入力されるようになっている。この復水器入口目標温度Tc_setは、ユーザが任意に設定できるようになっている。
制御部２５は、メモリ等の記憶領域４１を有しており、記録データとして、復水器３を流れる冷却水の定格流量である復水器定格流量Fcと、ヒートポンプ５を流れる熱源水の定格流量であるヒートポンプ定格流量FHPとが保存されている。なお、冷却塔７を流れる冷却水流量である冷却塔流量FCTは、復水器定格流量Fcからヒートポンプ定格流量FHPを減じた値（Fc-FHP）が用いられる。
制御部２５の演算部４３では、復水器入口目標温度Tc_setとなるように、冷却塔出口目標温度TCT_setを下式に基づいて演算する。
TCT_set＝（Tc_set×Fc−THP_o×FHP）／FCT    ・・・・・（１）
上式は、冷却塔７からの冷却水とヒートポンプ５からの熱源水とが合流して復水器３へ流入する冷却水となるという条件で、熱バランスから導かれるものである。
上式から分かるように、温熱負荷３５の負荷が変動してヒートポンプ出口温度THP_oが変化しても、冷却塔出口目標温度TCT_setに制御することにより、復水器入口目標温度Tc_setが得られるようになる。
【００３０】
制御部２５の制御指示部４５では、冷却塔出口温度センサ２７によって計測された冷却塔出口温度Tct_oが、上式によって得られた冷却塔出口目標温度TCT_setとなるように、冷却塔７のファン１７の回転を制御する。具体的には、ファン１７の電動モータ２３が定速モータの場合にはモータの発停を制御し、電動モータ２３が可変速モータの場合にはモータの回転周波数を制御する。
【００３１】
本実施形態によれば、以下の作用効果を奏する。
復水器３を冷却した後の冷却水を熱源水往き配管３１によって冷却塔７の手前で分岐させて熱源水として用い、この熱源水から熱回収することによってヒートポンプ５を駆動することとした。そして、熱回収した後の熱源水は、冷却塔７から復水器３へ冷却水を供給する冷却水還り配管１３へと合流させることとした。このように、復水器３から冷却塔７へと向かう冷却水をバイパスさせてヒートポンプ５へ導くことにより、冷却塔７へ流れる冷却水量を減少させることができる。したがって、冷却塔７のファン動力を低減することができる。また、冷却水が飛散して消費される水消費量を低減することができ、これに伴い、冷却水中に含まれる薬液の消費量も低減することができる。
さらに、制御部２５によって、熱源水還り配管３３から熱源水が合流し、復水器３へと流入する復水器入口温度Tc_iが所望値となるように、冷却塔７のファン１７の発停または回転数を制御することとした。これにより、ヒートポンプ５の温熱負荷が変動することによって熱源水還り配管３３から合流する熱源水の温度THP_oが変動しても、復水器入口温度を所望値となるように安定的に制御することができる。
【００３２】
図３には、本実施形態の効果を確認するために行ったシミュレーション結果が示されている。同図に示すように、復水器３の定格流量を５００ｍ３／ｈ、温度差を５℃（２５℃→３０℃）とし、ヒートポンプ５へと分岐させて冷却塔７をバイパスする冷却水流量を１００ｍ３／ｈ、熱回収温度差を１０℃（３０℃→２０℃）とした場合、冷却塔７へ流れる冷却水流量は４００ｍ３／ｈ、冷却水の冷却塔出口温度は２６．３℃となる。
これに対して、図８に示したように、ヒートポンプの熱源水をバイパスさせずに冷却水還り配管に戻した場合には、冷却塔へ流れる冷却水流量は５００ｍ３／ｈ、冷却水の冷却塔出口温度は２５℃となる。
本実施形態と図８の場合とを比べると、冷却塔へ流れる冷却水流量は５００ｍ３／ｈから４００ｍ３／ｈへと２０％減少する。この減少量に比例して冷却水の飛散水量（通水量の約０．１％が飛散する）も減少する。さらに、飛散水量の減少に伴い、薬液の消費量も減少し、薬液投入量を抑えることができる。
また、本実施形態と図８の場合とを比べると、冷却塔の出口温度を２５℃から２６．３℃に上げることができる。これは、図４（出典；「改訂２版  クーリングタワー」，１７５頁，（財）省エネルギーセンター）から試算すると、ファン風量を約１５％低減可能となっており、これに伴いファン動力を低減することができる。
【００３３】
［第２実施形態］
次に、本発明の第２実施形態について、図５を用いて説明する。
本実施形態は、第１実施形態に加えて、熱源水往き配管３１と熱源水還り配管３３との間に熱源水バイパス配管５１が設けられている点で相違する。第１実施形態と共通する構成については、同一符号を付しその説明を省略する。
【００３４】
熱源水バイパス配管５１には、流量を制御するためのバイパス流量制御弁５３が設けられている。このバイパス流量制御弁５３の開度は、制御部２５によって制御される。
熱源水往き配管３１には、熱源水バイパス配管５１からの熱源水が合流した後の熱源水温度THP_iを計測する入口熱源水温度センサ５５が設けられている。入口熱源水温度センサ５５の出力は、制御部２５へと送られる。
制御部２５は、入口熱源水温度THP_iすなわちヒートポンプ５へ導かれる熱源水温度が所望値となるようにバイパス流量制御弁５３の開度を制御する。具体的には、入口熱源水温度よりも出口熱源水温度の方が低いので、入口熱源水温度THP_iが所望値よりも高い場合には、バイパス流量調整弁５３の開度を大きくして多くの出口熱源水を熱源水往き配管３１へと流す。逆に、入口熱源水温度THP_iが所望値よりも低い場合には、バイパス流量調整弁５３の開度を小さくしてより少量の出口熱源水を熱源水往き配管３１へと流す。
【００３５】
このように、本実施形態によれば、熱源水バイパス配管５１を流れる熱源水流量を調整することによって、ヒートポンプ５へ導かれる入口熱源水温度を所望値となるようにした。これにより、ヒートポンプ５へ導かれる入口熱源水温度を一定とすることが可能となりヒートポンプを安定的に制御することができる。
【００３６】
［第３実施形態］
次に、本発明の第３実施形態について、図６を用いて説明する。
本実施形態は、第１実施形態に加えて、熱源水還り配管３３から分岐して出口熱源水を冷却水還り配管１５へと戻す分岐熱源水還り配管５７が設けられている点で相違する。第１実施形態と共通する構成については、同一符号を付しその説明を省略する。
【００３７】
分岐熱源水戻り配管５７へ流れる流量は、制御部２５によってその開度が制御される三方弁５９によって調整される。なお、三方弁に代えて、二方弁を２つ組み合わせた構成としても良い。
制御部２５は、冷却水往き配管１３に合流する出口熱源水温度THP_oが、復水器３へと流入する冷却水温度の目標値である復水器入口目標温度Tc_setよりも高くなった場合に、分岐熱源水還り配管５７を介して熱源水を冷却水還り配管５７へと流すようになっている。
【００３８】
このように、本実施形態によれば、冷却水往き配管１３に合流する出口熱源水温度が、復水器入口目標温度Tc_setよりも高くなった場合には、冷却水温度を目標値に制御することができなくなるので、分岐熱源水還り配管５７を介して熱源水を冷却水還り配管１５へと戻すこととした。これにより、復水器３へと流入する冷却水温度を目標値に制御することができる。
【００３９】
［第４実施形態］
次に、本発明の第４実施形態について、図７を用いて説明する。
本実施形態は、第１実施形態に加えて、復水器３における排熱量に基づいてヒートポンプ５の温熱出力を制限する点で相違する。第１実施形態と共通する構成については、同一符号を付しその説明を省略する。
【００４０】
復水器３の冷却水出口には、出口冷却水温度Tc_oを計測する復水器出口温度センサ６１が設けられている。復水器出口温度センサ６１の出力は、制御部２５へと送られる。
制御部２５では、復水器３の冷却水の出入口温度（Tc_o−Tc_i）と流量から、復水器３における排熱量Qcを演算するようになっている。また、制御部２５は、ヒートポンプ５から熱源水から回収した熱回収量QHPを得るとともに、ヒートポンプ５の温熱出力を制限することができるようになっている。
そして、制御部２５は、復水器３における排熱量Qcをヒートポンプ５の熱回収量QHPが超える場合には、ヒートポンプ５の温熱出力を所定値以下に制限する。具体的には、ヒートポンプ５に対してデマンド制限をかけたり、温水負荷３５の設定温度を低くする。
【００４１】
このように、本実施形態によれば、復水器３における排熱量Qcを超えてヒートポンプにて熱回収してしまうと、復水器３に流入する冷却水温度を所望値に制御することが困難となるので、ヒートポンプ５の熱回収量QHPが排熱源の排熱量を超える場合には、ヒートポンプ５の温熱出力を所定値以下に制御することとした。これにより、ヒートポンプ５の熱回収量を所定値以下に低減することができるので、ヒートポンプ５の熱回収量が復水器３の排熱量を超えてしまう事象を回避することができる。
【００４２】
なお、上述した各実施形態では、排熱源の一例として復水器を挙げて説明したが、本発明はこれに限定されるものではなく、例えば冷凍機の凝縮器であっても良い。
また、復水器３を流れる冷却水流量やヒートポンプ５に導かれる熱源水流量を定格流量として説明したが、本発明はこれに限定されず、可変流量としても上式（１）は成立するので、冷却水ポンプ１７や熱源水ポンプ３２を可変流量式としても良い。
また、第２乃至第４実施形態では、第１実施形態に対する組合せとして説明したが、本発明はこれに限定されず、第１乃至第４実施形態は相互に組合せ可能である。
【符号の説明】
【００４３】
１  排熱回収システム
３  復水器
５  ヒートポンプ
７  冷却塔
１３  冷却水往き配管
１５  冷却水還り配管
１７  ファン
２５  制御部
３１  熱源水往き配管
３３  熱源水還り配管
３５  温熱負荷
【図１】
2012159236.tif 000003
【図２】
2012159236.tif 000004
【図３】
2012159236.tif 000005
【図４】
2012159236.tif 000006
【図５】
2012159236.tif 000007
【図６】
2012159236.tif 000008
【図７】
2012159236.tif 000009
【図８】
2012159236.tif 000010
【図９】
2012159236.tif 000011